(57)【要約】      （修正有）【課題】未開封か既開封かが容易に判別でき、しかも更なる省資源化に対応した注出ノズル付き液体容器のパッケージ及び注出ノズル付き液体容器を提供する。【解決手段】円筒形乃至は角筒形の容器本体２１の上半部分の側面側に突出状態で注出ノズル２２が設けられた構成の液体容器を被覆するパッケージであって、パッケージ本体１が、容器本体の側面を周面方向に少なくとも１周巻き付けられて被覆可能な天地開放状態の円筒形乃至は角筒形を形成するシート体１１から形成されており、該シート体には、液体容器に巻き付けられた際に、注出ノズルの下端、又はノズルキャップの下端が位置する部分から上辺部にかけて形成されることで注出ノズル又はノズルキャップを係止する切欠部１２と、容器本体の天地方向を貫く分離可能なミシン目の如き分断線又は剥離部１３と、が設けられており、該シート体の裏面には、液体容器の内容物に関する説明を表示する表示部が設けられる構成である。【選択図】図１
0003154956.tif 000002
【実用新案登録請求の範囲】
【請求項１】
容器本体が円筒形乃至は角筒形であると共に該容器本体の上半部分の側面側に突出状態で注出ノズルが設けられた構成の液体容器を被覆するパッケージであって、
パッケージ本体が、前記容器本体の側面を周面方向に少なくとも１周巻き付けられて被覆可能な天地開放状態の円筒形乃至は角筒形を形成するシート体から形成されており、
該シート体には、
前記液体容器に巻き付けられた際に、
（１）前記注出ノズルの下端、又は
（２）注出ノズルからの液漏れを防止するノズルキャップが被冠される構成としたときは該ノズルキャップの下端
が位置する部分から上辺部にかけて形成されることで前記（１）の注出ノズル又は（２）のノズルキャップを係止する切欠部と、
前記容器本体の天地方向を貫く分離可能なミシン目の如き分断線又は剥離部と、
が設けられており、
該シート体の裏面には、前記液体容器の内容物に関する説明を表示する表示部が設けられる構成であることを特徴とする注出ノズル付き液体容器のパッケージ。
【請求項２】
前記シート体が、紙製であることを特徴とする請求項１に記載の注出ノズル付き液体容器のパッケージ。
【請求項３】
前記液体容器に巻き付けられて被覆する前記パッケージ本体の上部開放部に、前記液体容器の上部の少なくとも一部を跨ぐように、又は前記液体容器の上部の少なくとも一部に被さるように配設される被冠部材を付加する構成であることを特徴とする請求項１又は２に記載の注出ノズル付き液体容器のパッケージ。
【請求項４】
前記ノズルキャップが、ノズルの押下を規制する構成であることを特徴とする請求項１〜３のいずれかに記載の注出ノズル付き液体容器のパッケージ。
【請求項５】
請求項１〜４のいずれかに記載の注出ノズル付き液体容器のパッケージで包装されたことを特徴とする注出ノズル付き液体容器。
【考案の詳細な説明】
【技術分野】
【０００１】
本考案は注出ノズル付き液体容器のパッケージ及び注出ノズル付き液体容器に関し、詳しくは化粧液・化粧水・シャンプー・リンスの如き液体商品を充填する注出ノズル付きの円筒形乃至は角筒形の液体容器の省資源化に対応したパッケージ、及び該パッケージで包装された注出ノズル付き液体容器に関する。
【背景技術】
【０００２】
液体容器を含む各種容器や物品などの包装形態として、省資源化や環境適正の面から昨今は過剰包装が敬遠されており、省資源化対応した包装資材・包装体構成・包装方法等による簡易包装が推奨されている。
【０００３】
特に、化粧品分野では豪華仕様とも云える過剰包装がこれまで多く採用されるのが通例であったが、かかる化粧品分野においても省資源化に対応したパッケージへの変更が強く望まれ始めている。
【０００４】
各種化粧品容器の内、化粧液・化粧水・シャンプー・リンスの如き液体化粧品を充填する容器としては、円筒形（楕円形や扁平形等を含む）や角筒形（角丸の筒形を含む）の注出ノズル付き容器が一般的である。化粧品容器ではないが、同様の筒形容器を簡易化した構成で包装する技術としては特許文献１に記載されたものを挙げることができる。
【先行技術文献】
【特許文献】
【０００５】
【特許文献１】特開２０００−１０３４５６号
【考案の概要】
【考案が解決しようとする課題】
【０００６】
特許文献１に記載の技術は、天地部分が共に閉塞された円筒形を有するパッケージであって、蓋体部と本体部とが弱い繋ぎ部を介して一体的に形成されており、開封時には前記弱い繋ぎ部に連接されたリップ部を引き剥がした後に蓋体部と本体部とを互いに反対方向にねじることで前記弱い繋ぎ部を切断して開封する構成である。また、当該特許文献１に記載の技術では、リップ部が引き剥がされているか否か、及び弱い繋ぎ部が切断されているか否か、の両者が一目瞭然であるため、パッケージの開封状態（未開封であるか既開封であるか）を極めて容易に判別することができる。
【０００７】
本考案者は、液体化粧品の包装用パッケージとして、より省資源化に対応した環境適正に優れた技術について研究を続けたところ、上記した特許文献１に記載の技術を液体化粧品容器に単に適用しただけでは未だ不充分であり、更なる省資源化の余地があることが判明した。
【０００８】
そこで本考案の課題は、未開封か既開封かが容易に判別でき、しかも更なる省資源化に対応した注出ノズル付き液体容器のパッケージ及び注出ノズル付き液体容器を提供することにある。
【課題を解決するための手段】
【０００９】
上記課題を解決する本考案は下記構成を有する。
【００１０】
１．容器本体が円筒形乃至は角筒形であると共に該容器本体の上半部分の側面側に突出状態で注出ノズルが設けられた構成の液体容器を被覆するパッケージであって、
パッケージ本体が、前記容器本体の側面を周面方向に少なくとも１周巻き付けられて被覆可能な天地開放状態の円筒形乃至は角筒形を形成するシート体から形成されており、
該シート体には、
前記液体容器に巻き付けられた際に、
（１）前記注出ノズルの下端、又は
（２）注出ノズルからの液漏れを防止するノズルキャップが被冠される構成としたときは該ノズルキャップの下端
が位置する部分から上辺部にかけて形成されることで前記（１）の注出ノズル又は（２）のノズルキャップを係止する切欠部と、
前記容器本体の天地方向を貫く分離可能なミシン目の如き分断線又は剥離部と、
が設けられており、
該シート体の裏面には、前記液体容器の内容物に関する説明を表示する表示部が設けられる構成であることを特徴とする注出ノズル付き液体容器のパッケージ。
【００１１】
２．前記シート体が、紙製であることを特徴とする上記１に記載の注出ノズル付き液体容器のパッケージ。
【００１２】
３．前記液体容器に巻き付けられて被覆する前記パッケージ本体の上部開放部に、前記液体容器の上部の少なくとも一部を跨ぐように、又は前記液体容器の上部の少なくとも一部に被さるように配設される被冠部材を付加する構成であることを特徴とする上記１又は２に記載の注出ノズル付き液体容器のパッケージ。
【００１３】
４．前記ノズルキャップが、ノズルの押下を規制する構成であることを特徴とする上記１〜３のいずれかに記載の注出ノズル付き液体容器のパッケージ。
【００１４】
５．上記１〜４のいずれかに記載の注出ノズル付き液体容器のパッケージで包装されたことを特徴とする注出ノズル付き液体容器。
【考案の効果】
【００１５】
請求項１又は５に示す考案によれば、未開封か既開封かが容易に判別でき、しかも更なる省資源化に対応した注出ノズル付き液体容器のパッケージ及び注出ノズル付き液体容器を提供することができる。
【００１６】
特に、シート体に形成された切欠部に注出ノズル又はノズルキャップが係止された状態で該シート体が液体容器に巻き付けられて被覆することにより、天地開放状態の省資源化された包装体構成でありながら、パッケージから液体容器が下方に位置ズレしたり抜け落ちてしまうことがない。
【００１７】
更に、極めて簡易に省資源化された包装体構成でありながら、外観の美感を損なうことなく液体容器の内容物に関する説明を別添の説明書等を付加することなく表示することができる。
【００１８】
請求項２に示す考案によれば、省資源化対応であるだけでなく、製造時と廃棄時の環境適正にも優れた包装構成である。
【００１９】
請求項３に示す考案によれば、パッケージ上方への液体容器の位置ズレや飛び出しによる脱落、更には逆さになった時の脱落をも防止することができる。
【００２０】
請求項４に示す考案によれば、未開封時の注出ノズルの押下による内容物の噴射・噴出・吐出を防止することができる。
【図面の簡単な説明】
【００２１】
【図１】本考案に係る注出ノズル付き液体容器のパッケージの一実施例の使用状態を示す概略説明斜視図
【図２】図１に示すパッケージのシート体の裏面の一実施例を示す概略説明図
【図３】被冠部材の二例を示す要部概略斜視図
【図４】ノズルキャップの二例を示す要部概略斜視図
【図５】本考案に係る注出ノズル付き液体容器のパッケージの他の実施例の使用状態を示す概略説明斜視図
【考案を実施するための形態】
【００２２】
次に、添付の図面に従って本考案を詳細に説明する。
【００２３】
図１に示すように、本考案に係る注出ノズル付き液体容器のパッケージ（以下、単にパッケージと言うこともある。）は、容器本体２１が円筒形乃至は角筒形（本実施例では円筒形）であると共に該容器本体２１の上半部分の側面側に突出状態で注出ノズル２２が設けられた構成の注出ノズル付き液体容器（以下、単に液体容器と言うこともある。）２を被覆するものであり、
パッケージ本体１は、前記容器本体２１の側面を周面方向に少なくとも１周巻き付けられて被覆可能な天地開放状態の円筒形乃至は角筒形（本実施例では容器本体２１が円筒形なので円筒形）を形成するシート体１１から形成されており、
該シート体１１には、
前記液体容器２に巻き付けられた際に前記注出ノズル２２の下端が位置する部分から上辺部にかけて形成されることで前記注出ノズル２２を係止する切欠部１２と、
前記容器本体２１の天地方向を貫く分離可能なミシン目の如き分断線又は剥離部１３と、
が設けられており、
図２に示すように、該シート体１１の裏面１１Ａには、前記液体容器２の内容物に関する説明を表示する表示部１４が設けられる構成を有している。
【００２４】
図２に示すシート体１１は、図１に示すパッケージ本体１をミシン目の如き分断線又は剥離部１３から分離して展開した状態の裏面１１Ａを示しており、符号１３Ａ・１３Ｂは分離した端部を示す。
【００２５】
尚、図１において、符号２３は、液体容器２の内容物を注出ノズル２２から噴射・噴出・吐出させる際の操作部であるノズル押下部を示す。
【００２６】
本考案のパッケージ本体１によって被覆包装される液体容器２としては、上述したように、化粧液・化粧水・シャンプー・リンスの如き液体化粧品やその他の液体商品を内容物として充填し、内容物である液体を噴射・噴出・吐出する注出ノズル２２の付いたものであり、容器本体２１が本実施例に示す円筒形や、楕円形や扁平形等を含むその他の円筒形、角筒形、角丸の多角形状の筒形等の形状を有するものを挙げることができる。
【００２７】
パッケージ本体１を構成するシート体１１としては、この種の化粧品類の容器包装として公知公用の素材である紙、合成紙、ラミネート紙、合成樹脂シート乃至はフィルム等を挙げることができ、中でも省資源化対応及び環境適正の点から紙製であることが好ましい。
【００２８】
シート体１１の裏面１１Ａの表示部１４に表示される内容としては、例えば、品質表示・成分表示・使用方法・使用上の注意・販売者名・製造者名・価格・キャッチコピー等の他を挙げることができる。尚、商品名のように表面に表示すべきものはシート体１１の表面に記載されることは言うまでもない。
【００２９】
以上の構成を有するパッケージ本体１は、図１に示すように液体容器２の容器本体２１に巻き付けられて被覆することにより、該液体容器２を極めて省資源化対応した構成であると共に環境適正に優れた構成で包装することができる。特に、天地開放状態の省資源化された包装体構成でありながら、液体容器２の注出ノズル２２がパッケージ本体１の切欠部１２に係止された状態で包装されていることから液体容器２が下方に位置ズレしたり抜け落ちてしまうことがない。
【００３０】
尚、上記構成を有するパッケージ本体１は、液体容器２の容器本体２１に巻き付ける際に緊締状態となるようにきつめに巻き付けることで、パッケージ本体１上方への液体容器２の位置ズレや飛び出しによる脱落、更には逆さになった時の脱落を抑制することができる。
【００３１】
更に、パッケージ本体１上方への液体容器２の位置ズレや飛び出しによる脱落や、逆さになった時の脱落を完全に防止するには、例えば、図３に示すように、液体容器２に巻き付けられて被覆するパッケージ本体１の上部開放部に、前記液体容器２の上部の少なくとも一部を跨ぐように配設される被冠部材３を付加する構成（図３（Ａ）参照）、又は前記液体容器の上部の少なくとも一部に被さるように配設される被冠部材を付加する構成（図３（Ｂ）参照）によって可能である。図３に示す被冠部材３は、いずれも粘着材や接着剤の如き固着手段でパッケージ本体１と液体容器２とに取り付けられる。
【００３２】
また、未開封時の注出ノズル２２からの液漏れを防止すると共に、該注出ノズル２２のノズル口から内部への異物等の浸入を防止するために、図４の（Ａ）又は（Ｂ）に示すようなノズルキャップ４を被冠する構成であることが好ましい。
【００３３】
図４の（Ａ）に示すノズルキャップ４は、注出ノズル２２の蓋体として機能すると共に、注出ノズル２２の押下を規制することで未開封時の内容物の噴射・噴出・吐出を防止する構成となっている。
【００３４】
図４の（Ａ）において、符号２２Ａはノズル押下部２３を押し下げた際に注出ノズル２２が移動するためのノズル移動用空隙部であり、符号４Ａは注出ノズル２２にノズルキャップ４を取り付けた際に前記ノズル移動用空隙部２２Ａに入り込むことで注出ノズル２２の押下を規制する押下規制部である。尚、当該構成のノズルキャップ４の場合、該ノズルキャップ４の取付けはパッケージ本体１に包装される前に行われる。
【００３５】
図４の（Ｂ）に示すノズルキャップ４は、注出ノズル２２の蓋体として機能する構成となっている。当該構成のノズルキャップ４の場合、該ノズルキャップ４の取付けはパッケージ本体１による包装前でも包装後でもよい。
【００３６】
図４の（Ａ）又は（Ｂ）に示す注出ノズル２２にノズルキャップ４を取り付ける構成の場合、パッケージ本体１の切欠部１２は前記ノズルキャップ４の下端を係止する構成であることが好ましい。更に、ノズルキャップ４を取り付ける構成の場合、ノズルキャップ４を取り付けた状態で該ノズルキャップ４の脱落を防止するために該ノズルキャップ４を液体容器２の少なくとも上部の一部と共にシュリンク包装等によって被覆することが好ましい。
【００３７】
尚、注出ノズル２２が、開封前までは液漏れを防止する構成のものであるときは、ノズルキャップ４は要しない。
【００３８】
以上、本考案に係る注出ノズル付き液体容器のパッケージ、及び該パッケージに包装された注出ノズル付き液体容器について実施例に基き説明したが、本考案は上記した実施例に限定されず、本考案の範囲内において他の態様を採ることができる。
【００３９】
例えば、上記実施例では、液体容器２として底面から上端部分まで同径の円筒形を有する構成を挙げて説明したが、本考案はこの構成に限定されず、図５に示すようなノズル押下部２３が筒体の容器本体２１の上方に配設された構成の液体容器２にも適用することができる。かかる構成の液体容器２であっても、図５に示すように極めて省資源化対応した構成であると共に環境適正に優れた構成で包装することができる。
【符号の説明】
【００４０】
１  パッケージ本体
１１  シート体
１１Ａ  シート体の裏面
１２  切欠部
１３  ミシン目の如き分断線又は剥離部
１３Ａ・１３Ｂ  分離したシート体の端部
１４  表示部
２  注出ノズル付き液体容器
２１  容器本体
２２  注出ノズル
２２Ａ  ノズル移動用空隙部
２３  ノズル押下部
３  被冠部材
４  ノズルキャップ
４Ａ  押下規制部
【図１】
0003154956.tif 000003
【図２】
0003154956.tif 000004
【図３】
0003154956.tif 000005
【図４】
0003154956.tif 000006
【図５】
0003154956.tif 000007